(57)【特許請求の範囲】
【請求項１】
記録媒体に記録されている動画または音声データである主コンテンツデータと、当該主コンテンツデータに付随し夫々が独立して再生制限が設定されている複数種類の付加コンテンツデータとが入力され、
上記記録媒体がオリジナルであるかコピーであるかを判断し、
上記判断によって上記記録媒体がオリジナルであると判断された場合には、上記複数種類の付加コンテンツデータの全てを上記主コンテンツデータと共に再生するための付加コンテンツデータとして選択し、上記記録媒体がコピーであると判断された場合には、夫々が独立して設定されている再生制限に基づいて、上記主コンテンツデータと共に再生するための付加コンテンツデータを上記複数種類の付加コンテンツデータより選択し、
上記選択された付加コンテンツデータを上記主コンテンツデータと共に再生する
データ再生方法。
【請求項２】
上記複数種類の付加コンテンツデータは、少なくともジャケットデータと歌詞データとを含み、
上記ジャケットデータは再生可能に設定され、上記ジャケットデータを上記主コンテンツデータと共に再生する
請求項１に記載のデータ再生方法。
【請求項３】
上記主コンテンツデータは、音楽データであり、
上記複数種類の付加コンテンツデータは、上記ジャケットデータ、上記歌詞データに加えて、楽譜データ、ライナーノーツデータ、及びビデオクリップデータのうち少なくともいずれか１を含む
請求項２に記載のデータ再生方法。
【請求項４】
記録媒体に記録されている動画または音声データである主コンテンツデータと、当該主コンテンツデータに付随し夫々が独立して再生制限が設定されている複数種類の付加コンテンツデータとが入力される入力部と、
上記記録媒体がオリジナルであるかコピーであるかを判断する判断部と、
上記判断によって上記記録媒体がオリジナルであると判断された場合には、上記複数種類の付加コンテンツデータの全てを上記主コンテンツデータと共に再生するための付加コンテンツデータとして選択し、上記記録媒体がコピーであると判断された場合には、夫々が独立して設定されている再生制限に基づいて、上記主コンテンツデータと共に再生するための付加コンテンツデータを上記複数種類の付加コンテンツデータより選択する選択部と、
上記選択された付加コンテンツデータを上記主コンテンツデータと共に再生する再生部と
を備えるデータ再生装置。
【請求項５】
上記複数種類の付加コンテンツデータは、少なくともジャケットデータと歌詞データとを含み、
上記ジャケットデータは再生可能に設定され、
上記再生部は、上記ジャケットデータを上記主コンテンツデータと共に再生する
請求項４に記載のデータ再生装置。
【請求項６】
上記主コンテンツデータは、音楽データであり、
上記複数種類の付加コンテンツデータは、上記ジャケットデータ、上記歌詞データに加えて、楽譜データ、ライナーノーツデータ、及びビデオクリップデータのうち少なくともいずれか１を含む
請求項５に記載のデータ再生装置。
【発明の詳細な説明】
【０００１】
【発明の属する技術分野】
この発明は、音楽データのような主コンテンツデータと、ジャケットや、歌詞データのようなこれに付随する付加コンテンツデータとからなるコンテンツデータを処理するのに好適なデータ再生方法及び装置に関する。
【０００２】
【従来の技術】
近年、ネットワークを使った音楽配信が話題になっている。音楽配信サービスでは、ネットワーク上に、音楽配信のためのサーバが設けられる。音楽配信を利用する場合には、ユーザの端末がネットワークを介して、音楽配信サーバに接続される。曲を購入する際には、ユーザは、購入した曲を指定して、ダウンロード指令を与える。これにより、音楽配信サーバからユーザ端末に、その曲のデータが送られ、ユーザの端末にダウンロードされる。このとき、ダウンロードした曲に対して課金が行われる。したがって、音楽のコンテンツデータが購入の対象となる。
【０００３】
既存のレコード店での音楽の販売と、音楽配信サービスによるネットワークでの音楽の販売との販売形態の大きな違いは、売買されるものの実体が物理的にあるか否かということである。
【０００４】
つまり、レコード店では、パッケージングされたＣＤ（Compact Disc）アルバムが販売されており、ユーザは、このパッケージングされたＣＤアルバムをレコード店で購入している。
【０００５】
このように、ユーザは、レコード店で自分の気に入った音楽を購入するのであるが、レコード店で販売されているのは、パケージングされたＣＤアルバムである。したがって、ユーザが実際に購入するのは、音楽そのものではなく、音楽が記録されたＣＤと、このＣＤを収納するケースと、ケースを装飾するジャケットと、ケース内に同封される歌詞カードやライナノーツからなるパッケージングされたＣＤアルバムである。
【０００６】
売買される実体が物理的にあるということは、その物理的な実体が売買される単位ということになる。したがって、パッケージングされたＣＤアルバムが１つの販売単位であって、そのＣＤアルバムを構成する、ＣＤや、ジャケットや、ライナーノーツや、歌詞カードが、個々に流通されることはない。
【０００７】
これに対して、ネットワークを使った音楽配信サービスでは、ユーザにコンテンツデータが提供される。すなわち、１つのアルバムを構成する音楽データと、ジャケットのデータと、ライナーノーツや歌詞のデータとが提供される。コンテンツのデータそのものは、物理的な実体はなく、個々に流通させることが可能である。
【０００８】
【発明が解決しようとする課題】
現在、データが記録可能なＣＤ−Ｒが普及してきており、レコード店で売られているＣＤをＣＤ−Ｒにコピーして使用することが話題になっている。ＣＤ−Ｒが普及してくると、ＣＤが違法にコピーされてしまい、著作者の権利が守られなくなることが危惧されている。
【０００９】
しかしながら、たとえコピーが簡単に作れるようになったとしても、オリジナルのＣＤアルバムを購入したいと考えているユーザは数多い。それは、オリジナルのＣＤアルバムを購入すると、ＣＤばかりでなく、ジャケットや、歌詞カード、ライナノーツ等が手に入るというメリットがあるからである。
【００１０】
ＣＤのジャケットは、ＣＤアルバムの企画に合わせて作成されており、芸術性の高いものも数多くある。また、歌詞カード、ライナノーツ等は、その音楽やアーチストを支持するファンにとっては高い価値がある。オリジナルのＣＤアルバムを購入したユーザだけがこれらを手に入れられるということは、オリジナルのＣＤアルバムの購入意欲を刺激し、無制限な違法なコピーに歯止めをかけているとも考えられる。
【００１１】
ところが、音楽配信サービスが始まって、音楽がコンテンツデータとして扱われるようになると、物理的な販売単位の制限がなくなるため、音楽データと、ジャケットのデータと、ライナーノーツや歌詞のデータとが個々に流通できるようになる。そうなると、オリジナルのＣＤアルバムを購入したユーザだけが、そのジャケットや、歌詞カード、ライナノーツ等を手に入れられるというメリットが失われてしまう。このことは、無制限な違法コピーを促進してしまうことになるとも考えられる。
【００１２】
したがって、この発明の目的は、オリジナルのコンテンツデータの所有者だけがジャケットや、歌詞カード、ライナノーツ等の付加コンテンツデータを保有することができるような処理が行え、オリジナルの価値を高められるようにしたデータ再生方法及び装置を提供することにある。
【００１７】
第１の発明は、
記録媒体に記録されている動画または音声データである主コンテンツデータと、当該主コンテンツデータに付随し夫々が独立して再生制限が設定されている複数種類の付加コンテンツデータとが入力され、
記録媒体がオリジナルであるかコピーであるかを判断し、
判断によって記録媒体がオリジナルであると判断された場合には、複数種類の付加コンテンツデータの全てを主コンテンツデータと共に再生するための付加コンテンツデータとして選択し、記録媒体がコピーであると判断された場合には、夫々が独立して設定されている再生制限に基づいて、主コンテンツデータと共に再生するための付加コンテンツデータを複数種類の付加コンテンツデータより選択し、
選択された付加コンテンツデータを主コンテンツデータと共に再生する
データ再生方法である。
【００１８】
第２の発明は、
記録媒体に記録されている動画または音声データである主コンテンツデータと、当該主コンテンツデータに付随し夫々が独立して再生制限が設定されている複数種類の付加コンテンツデータとが入力される入力部と、
記録媒体がオリジナルであるかコピーであるかを判断する判断部と、
判断によって記録媒体がオリジナルであると判断された場合には、複数種類の付加コンテンツデータの全てを主コンテンツデータと共に再生するための付加コンテンツデータとして選択し、記録媒体がコピーであると判断された場合には、夫々が独立して設定されている再生制限に基づいて、主コンテンツデータと共に再生するための付加コンテンツデータを複数種類の付加コンテンツデータより選択する選択部と、
選択された付加コンテンツデータを主コンテンツデータと共に再生する再生部と
を備えるデータ再生装置である。
【００１９】
音楽データのような主となるコンテンツデータと、シャケットや歌詞カード、ライナーノーツのようなそれに付随する付加コンテンツデータとが、個々に、記録制限できる。主コンテンツデータに対しては記録を許可し、付加コンテンツデータに対しては、記録を禁止するようにすると、オリジナルのコンテンツデータの所有者だけがジャケットや、歌詞カード、ライナノーツ等を保有することができるような処理が行え、オリジナルの価値を高められる。
【００２０】
また、音楽データのような主となるコンテンツデータと、シャケットや歌詞カード、ライナーノーツのようなそれに付随する付加コンテンツデータとが記録されている記録媒体を再生する場合に、音楽データのような主コンテンツデータと、シャケットや歌詞カード、ライナーノーツのようなそれに付随する付加コンテンツデータとが、個々に、再生許可できる。記録媒体がオリジナルなら、主コンテンツデータも付加コンテンツデータも再生を許可し、記録媒体がコピーなら、主コンテンツデータに対しては再生を許可し、付加コンテンツデータに対しては、再生禁止とすると、オリジナルのコンテンツデータの所有者だけがジャケットや、歌詞カード、ライナノーツ等を保有することができるような処理が行え、オリジナルの価値を高められる。
【００２１】
【発明の実施の形態】
以下、この発明の実施の形態について図面を参照して説明する。この発明では、コンテンツデータは、主コンテンツデータと付加コンテンツデータとして処理される。主コンテンツデータは、音楽データや映画のデータのような主要なコンテンツのデータであり、付加コンテンツデータは、主要なコンテンツのデータに付随するデータである。
【００２２】
例えば、ＣＤアルバムは、音楽データが記録されたＣＤを、ケースに収納し、歌詞カードやライナノーツを同封し、ジャケットをつけて、パッケージングして販売されている。これをコンテンツデータとして配信するようにした場合には、主コンテンツデータは、音楽データであり、付加コンテンツデータは、ジャケットのデータや、歌詞カードやライナノーツのデータとなる。更に、その音楽のビデオクリップやプロモーション用のビデオが制作されている場合には、ビデオクリップやプロモーション用のビデオのデータが付加コンテンツデータとなる。
【００２３】
また、例えば、映画のビデオカセットやＤＶＤ（Digital Versatile Disc）は、映画の映像と音声が記録されたビデオカセットやＤＶＤを、ジャケットや解説等が印刷されたケースに収納し、パッケージングして販売されている。この場合、主コンテンツデータは、映画の動画や音声データであり、付加コンテンツデータは、ジャケットのデータや、解説のテキストデータである。
【００２４】
また、ゲームソフトでは、ゲームのプログラムが主コンテンツデータとなり、ゲームのやり方や攻略の仕方の解説書のデータが付加コンテンツデータとなる。電子書籍では、物語のデータが主コンテンツデータとなり、この物語の解説や挿絵等が付加コンテンツデータとなる。
【００２５】
このように、主コンテンツデータは、主たる価値を持ち、販売の主体となるようなコンテンツのデータであり、付加コンテンツデータは、この主コンテンツデータに付随するコンテンツのデータである。
【００２６】
主コンテンツデータと付加コンテンツデータとは、同じ種類のデータとなることもあるし、異なる種類となることもある。例えば、音楽配信では、音楽データが主コンテンツデータであり、ジャケットデータが付加コンテンツデータである。音楽データは例えばＭＰ３やＡＴＲＡＣ３であり、ジャケットデータは例えばＪＰＥＧであり、主コンテンツデータと付加コンテンツデータとでは、データの種類が異なる。電子書籍では、物語のデータが主コンテンツデータとなり、この物語の解説のデータが付加コンテンツデータとなる。この場合、両方ともデータの形式はテキストとなり、同じ種類のデータとなる。
【００２７】
この発明の実施の形態では、音楽データのような主コンテンツデータに対するコピーや再生の制限と、ジャケットのデータや歌詞カード、ライナーノーツのデータのような付加コンテンツデータに対するコピーや再生の制限とを、夫々、独立して設定できる。これにより、たとえ主コンテンツデータがコピーされても、そのジャケットや、歌詞カード、ライナノーツ等の付加コンテンツデータは、オリジナルのデータを購入したユーザだけが保有できるようになる。
【００２８】
つまり、図１は、音楽のコンテンツデータを処理する場合のリストの一例を示したものである。図１において、Ｍ１、Ｍ２、Ｍ３、…は、主コンテンツデータである。これらの主コンテンツデータＭ１、Ｍ２、Ｍ３は、音楽のデータである。データの形式としては、ＡＴＲＡＣ３、ＭＰ３、ＡＡＣ等がある。
【００２９】
これらの主コンテンツデータに対して、付随となる付加コンテンツデータが存在する。
【００３０】
すなわち、図１では、主コンテンツデータＭ１には、付随となる付加コンテンツデータとして、歌詞データＬ１と、ジャケットデータＪ１と、楽譜データＣ１と、ライナーノーツデータＮ１と、ビデオクリップデータＶ１がある。主コンテンツデータＭ２には、付随となる付加コンテンツデータとして、歌詞データＬ２と、ライナーノーツデータＮ２とがある。主コンテンツデータＭ３には、付加コンテンツデータは存在していない。主コンテンツデータＭ９には、付随となる付加コンテンツデータとして、歌詞データＬ９と、ジャケットデータＪ９と、ライナーノーツデータＮ９とがある。主コンテンツデータＭ１０には、付随となる付加コンテンツデータとして、ジャケットデータＪ１０と、ライナーノーツデータＮ１０とがある。
【００３１】
ここで、歌詞データＬは例えばテキスト形式、ジャケットデータＪはＪＰＥＧ形式、楽譜データＣはＭＩＤＩ形式、ライナーノーツデータＮはテキスト形式、ビデオクリップデータＶはＭＰＥＧ形式のデータが用いられる。
【００３２】
また、主コンテンツデータＭ１のように、付随となる付加コンテンツデータとして、歌詞データＬ１と、ジャケットデータＪ１と、楽譜データＣ１と、ライナーノーツデータＮ１と、ビデオクリップデータＶ１がある場合には、Ｍ１（Ｌ１，Ｊ１，Ｃ１，Ｎ１，Ｖ１）と標記するものとする。
【００３３】
コンテンツデータＭ１（Ｌ１，Ｊ１，Ｃ１，Ｎ１，Ｖ１）をコピーした場合、主コンテンツデータＭ１はコピーされるが、付加コンテンツデータはディジタルライツによりコピーが許可される場合を除いてコピーされない。したがって、コピー後のデータは、主コンテンツデータＭ１のみとなる。
【００３４】
コンテンツデータＭ２（Ｌ２，Ｎ２）をコピーした場合、主コンテンツデータＭ２はコピーされるが、付加コンテンツデータはディジタルライツによりコピーが許可される場合を除いてコピーされない。したがって、コピー後のデータは、主コンテンツデータＭ２のみとなる。
【００３５】
コンテンツデータＭ３をコピーした場合、このデータは付加コンテンツデータがないので、コピー後のデータも、主コンテンツデータＭ３のみとなる。
【００３６】
コンテンツデータＭ９（Ｌ９，Ｊ９，Ｎ９）をコピーした場合、主コンテンツデータＭ９はコピーされるが、付加コンテンツデータはディジタルライツによりコピーが許可される場合を除いてコピーされない。したがって、コピー後のデータは、主コンテンツデータＭ９のみとなる。
【００３７】
コンテンツデータＭ１０（Ｊ１０，Ｎ１０）をコピーした場合、主コンテンツデータＭ１０はコピーされるが、付加コンテンツデータはディジタルライツによりコピーが許可される場合を除いてコピーされない。したがって、コピー後のデータは、主コンテンツデータＭ１０のみとなる。
【００３８】
このように、コンテンツデータを、主コンテンツデータと付加コンテンツデータとに分け、コンテンツデータをコピーする場合に、主コンテンツデータであるか付加コンテンツデータであるかに応じて、コピー制限が設定される。これにより、オリジナルのコンテンツのデータを購入したユーザだけが、そのジャケットや、歌詞カード、ライナノーツ等のデータを保有することができるようになる。
【００３９】
コンテンツデータを、このような主コンテンツデータと付加コンテンツデータとに分け、オリジナルのコンテンツデータをコピーする場合に、主コンテンツデータであるか付加コンテンツデータであるかに応じて、コピー制限を設定するような処理は、図２に示すような構成の記録系により実現できる。
【００４０】
図２において、入力端子１に、記録データが供給される。記録データは、上述のように、音楽データのような主コンテンツデータＭと、ジャケットデータＪや、楽譜データＣ、歌詞データＬ、ライナーノーツデータＮ、ビデオクリップデータＶのような付加コンテンツデータとからなる。また、入力端子１から、サブデータのディジタルライツ情報が送られる。このサブデータのディジタルライツ情報は、各サブデデータのコピーや再生の条件を設定するものである。この記録データは、例えば、音楽配信サーバからインターネットを介して、又は他の記録媒体から送られてくる。
【００４１】
入力端子１からの記録データは、デマルチプレクサ２に供給される。デマルチプレクサ２で、音楽データのような主コンテンツデータＭと、ジャケットデータＪや、楽譜データＣ、歌詞データＬ、ライナーノーツデータＮ、ビデオクリップデータＶのような各付加コンテンツデータとが分離される。
【００４２】
デマルチプレクサ２で分離されたデータのうち、音楽データのような主コンテンツデータＭは、復号回路３に供給されると共に、マルチプレクサ４に供給される。復号回路３で、主コンテンツデータが復号される。復号されたデータは、出力端子７から出力される。
【００４３】
ジャケットデータＪや、楽譜データＣ、歌詞データＬ、ライナーノーツデータＮ、ビデオクリップデータＶのような各付加コンテンツデータは、スイッチ回路５に供給されると共に、復号回路６に供給される。
【００４４】
復号回路６は、ジャケットデータＪや、楽譜データＣ、歌詞データＬ、ライナーノーツデータＮ、ビデオクリップデータＶのような各付加コンテンツデータを復号するものである。復号されたデータは、データ出力端子９から出力される。
【００４５】
スイッチ回路５は、スイッチ５ａ〜５ｄからなり、ジャケットデータＪや、楽譜データＣ、歌詞データＬ、ライナーノーツデータＮ、ビデオクリップデータＶのような各付加コンテンツデータを夫々オン／オフするものである。スイッチ回路５は、サブデータ制御回路８により制御される。
【００４６】
各付加データのディジタルライツがディジタルライツ抽出回路１０で抽出され、このディジタルライツがサブデータ制御回路８に供給される。サブデータ制御回路８で、ディジタルライツに従って、スイッチ制御信号が生成される。このスイッチ制御信号がスイッチ回路５に供給される。
【００４７】
スイッチ回路５の出力がマルチプレクサ４に供給される。マルチプレクサ４で、デマルチプレクサ２からの主コンテンツデータＭと、デマルチプレクサ２から、スイッチ回路５を介された各付加コンテンツデータＬ，Ｊ，Ｃ，Ｎ，Ｖとが多重化される。
【００４８】
マルチプレクサ４の出力が記録処理回路１１に供給される。記録処理回路１１で、エラー訂正符号化処理や変調等の記録処理が行われる。記録回路１１の出力が光学ピックアップ１２に供給される。光学ピックアップ１２により、光ディスク１３にデータが記録される。
【００４９】
入力端子１に、コンテンツデータＭ（Ｌ，Ｊ，Ｃ，Ｎ，Ｖ）が供給されると、デマルチプレクサ２で、主コンテンツデータＭと、歌詞データＬと、ジャケットデータＪと、楽譜データＣと、ライナーノーツデータＮと、ビデオクリップデータＶとが分離される。主コンテンツデータＭについては、そのまま、マルチプレクサ４に送られ、付加コンテンツデータＬ，Ｊ，Ｃ，Ｎ，Ｖについては、スイッチ回路５を介して、マルチプレクサ４に送られる。スイッチ回路５は、ディジタルライツによりコピーが許可されているとき以外にはオフされる。
【００５０】
このため、デマルチプレクサ２で分離された主コンテンツデータＭと、歌詞データＬと、ジャケットデータＪと、楽譜データＣと、ライナーノーツデータＮと、ビデオクリップデータＶのうち、主コンテンツデータＭのみ、記録処理回路１１に送られ、光ディスク１２に記録される。
【００５１】
なお、付加コンテンツデータについては、ディジタルライツ抽出回路１０で抽出されたディジタルライツに基づいて、コピーされる。
【００５２】
例えば、このディジタルライツから、ジャケットデータＪがコピー許可なら、スイッチ回路５のうちのスイッチ５ｂがオンされる。このため、デマルチプレクサ２で分離された主コンテンツデータＭとジャケットデータＪとがマルチプレクサ４に送られ、マルチプレクサ５で、主コンテンツデータＭとジャケットデータＪとが多重化される。この主コンテンツデータＭとジャケットデータＪとがマルチプレクサ４から記録処理回路１１に送られ、光ディスク１２に記録される。
【００５３】
図３は、コンテンツデータを、主コンテンツデータと付加コンテンツデータとに分け、オリジナルのコンテンツデータを再生する場合に、主コンテンツデータであるか付加コンテンツデータであるかに応じて、再生制限を設定するような処理を行う再生系の構成を示すものである。
【００５４】
図３において、光ディスク２１の情報が光学ピックアップ２２で再生される。光ディスク２１には、音楽データのような主コンテンツデータＭと、ジャケットデータＪや、楽譜データＣ、歌詞データＬ、ライナーノーツデータＮ、ビデオクリップデータＶのような付加コンテンツデータとからなるコンテンツデータが記録されている。
【００５５】
光学ピックアップ２２の出力が再生アンプ２３を介して、復調回路２４に供給される。復調回路２４の出力がエラー訂正回路２５に供給される。エラー訂正回路２５の出力がデマルチプレクサ２６に供給される。
【００５６】
また、光ディスク２１には、ディジタルライツの情報が記録されている。このディジタルライツの情報がディジタルライツ抽出回路２７で抽出される。このディジタルライツ抽出回路２７の出力がサブデータ制御回路２８に供給される。
【００５７】
また、サブデータ制御回路２８には、オリジナル／コピー判別回路３０の出力が供給される。オリジナル／コピー判別回路３０は、光ディスク２１がオリジナルディスクであるかコピーディスクであるかを判別するものである。オリジナルかコピーかの判別は、例えば、ウォブル検出回路３２で、ウォブルデータが検出できるか否かにより判断できる。すなわち、例えば、ＣＤ２では、オリジナルディスクでは、トラックをウォブル方向には変化させて情報が記録されている。このようなウォブルデータが検出できればオリジナルであると判断でき、検出できなければ、コピーであると判断できる。
【００５８】
デマルチプレクサ２６で、音楽データのような主コンテンツデータＭと、ジャケットデータＪや、楽譜データＣ、歌詞データＬ、ライナーノーツデータＮ、ビデオクリップデータＶのような各付加コンテンツデータとが分離される。
【００５９】
デマルチプレクサ２６で分離されたデータのうち、音楽データのような主コンテンツデータＭは、伸長回路３３に供給される。伸長回路３３は、例えば、ＡＴＲＡＣ３やＭＰ３の伸長処理を行うものである。伸長回路３３で、音楽データが復号される。この音楽データがディジタル出力端子３４から出力されると共に、Ｄ／Ａコンバータ３５を介して、アナログ出力端子３６から出力される。
【００６０】
デマルチプレクサ２６で分離されたデータのうち、歌詞データＬや、ジャケットデータＪ、楽譜データＣ、ライナーノーツデータＮ、ビデオクリップデータＶは、スイッチ回路３７を介して、テキストデコーダ３８、ＪＰＥＧデコーダ３９、ＭＩＤＩデコーダ４０、ＭＰＥＧデコーダ４１に供給される。
【００６１】
スイッチ回路３７には、サブデータ制御回路２８の出力が供給される。スイッチ回路３７は、スイッチ３７ａ〜３７ｅからなり、オリジナル／コピー判別回路３０の出力及びディジタルライツ抽出回路２７の出力に応じて、オン／オフされる。
【００６２】
テキストデコーダ３８、ＪＰＥＧデコーダ３９、ＭＩＤＩデコーダ４０、ＭＰＥＧデコーダ４１は、夫々、テスキトデータ、ＪＰＥＧの静止画データ、ＭＩＤＩデータ、ＭＰＥＧの動画データをデコードするものである。テキストデコーダ３８、ＪＰＥＧデコーダ３９、ＭＩＤＩデコーダ４０、ＭＰＥＧデコーダ４１の出力がテスキト出力端子４２、静止画出力端子４３、楽譜出力端子４４、ビデオ出力端子４５から夫々出力される。
【００６３】
光ディスク２１から、コンテンツデータＭ（Ｌ，Ｊ，Ｃ，Ｎ，Ｖ）が再生されると、デマルチプレクサ２６で、主コンテンツデータＭと、歌詞データＬと、ジャケットデータＪと、楽譜データＣと、ライナーノーツデータＮと、ビデオクリップデータＶとが分離される。
【００６４】
主コンテンツデータＭについては、そのまま、伸長回路３３に送られ、デコードされる。
【００６５】
付加コンテンツデータＬ，Ｊ，Ｃ，Ｎ，Ｖについては、スイッチ回路３７を介して、テキストデコーダ３８、ＪＰＥＧデコーダ３９、ＭＩＤＩデコーダ４０、ＭＰＥＧデコーダ４１に供給される。
【００６６】
スイッチ回路３７は、オリジナル／コピー判別回路３０により、光ディスク２１がオリジナルであると判断されたときには、全てオンされる。
【００６７】
このため、光ディスク２１がオリジナルのディスクの場合には、伸長回路３３で主コンテンツデータＭがデコードされると共に、テキストデコーダ３８で、歌詞データＬ及びライナーノーツデータＮがデコードされ、ＪＰＥＧデコーダ３９で、ジャケットデータＪがデコードされ、ＭＩＤＩデコーダ４０で楽譜データＣがデコードされ、ＭＰＥＧデコーダ４１でビデオクリップデータＶがデコードされる。
【００６８】
スイッチ回路３７は、オリジナル／コピー判別回路３０により、光ディスク２１がコピーであると判断されたときには、ディジタルライツ抽出回路２７で抽出されたディジタルライツに従って、スイッチ回路３７がオン／オフされる。
【００６９】
例えば、このディジタルライツから、全ての付加コンテンツデータが再生禁止とされているときには、オリジナルディスクでなければ、スイッチ回路３７のスイッチ３７ａ〜３７ｅは全てオフされる。このため、デマルチプレクサ２６で分離された主コンテンツデータＭのみが伸長回路３３に供給され、伸長回路３３でデコードされる。
【００７０】
例えば、オリジナルディスクでなく、ディジタルライツから、ジャケットデータＪ１が常に再生許可なら、スイッチ回路３７のうちのスイッチ３７ｂがオンされる。このため、デマルチプレクサ２６で分離された主コンテンツデータＭが伸長回路３３に供給され、伸長回路３３でデコードされると共に、ジャケットデータＪがＪＰＥＧデコーダ３９に供給され、ＪＰＥＧデコーダ３９でジャケットデータＪ１が再生される。
【００７１】
なお、上述の例では、オリジナルかコピーかの判別を、ウォブルデータが検出して行っているが、ヘッダやウォータマークにオリジナルか否かの情報を挿入しておき、この情報を使って、オリジナルであるか否かを判別するようにしても良い。
【００７２】
また、上述の例では、オリジナルディスクではなく、再生許可でない場合には、スイッチ回路３５をオフして付加コンテンツデータを再生されないようにしているが、品質を劣化させたり、部分的にカットさせるようにしても良い。
【００７３】
【発明の効果】
この発明によれば、音楽データのような主コンテンツデータと、シャケットや歌詞カード、ライナーノーツのようなそれに付随する付加コンテンツデータとが、個々に、記録制限できる。主コンテンツデータに対しては記録を許可し、付加コンテンツデータに対しては、記録を禁止するようにすると、オリジナルのコンテンツデータの所有者だけがジャケットや、歌詞カード、ライナノーツ等を保有することができるような処理が行え、オリジナルの価値を高められる。
【００７４】
また、音楽データのような主コンテンツデータと、シャケットや歌詞カード、ライナーノーツのようなそれに付随する付加コンテンツデータとが記録されている記録媒体を再生する場合に、音楽データのような主となるコンテンツデータと、シャケットや歌詞カード、ライナーノーツのようなそれに付随する付加コンテンツデータとが、個々に、再生許可できる。記録媒体がオリジナルなら、主コンテンツデータも付加コンテンツデータも再生を許可し、記録媒体がコピーなら、主コンテンツデータに対しては再生を許可し、付加コンテンツデータに対しては、再生禁止とすると、オリジナルのコンテンツデータの所有者だけがジャケットや、歌詞カード、ライナノーツ等を保有することができるような処理が行え、オリジナルの価値を高められる。
【図面の簡単な説明】
【図１】この発明の実施の形態の説明に用いる略線図である。
【図２】この発明の一実施の形態のブロック図である。
【図３】この発明の他の実施の形態のブロック図である。
【符号の説明】
２・・・デマルチプレクサ，４・・・マルチプレクサ，５・・・スイッチ回路，８・・・サブデータ制御回路，１３・・・光ディスク
【図１】
0004320939.tif 000002
【図２】
0004320939.tif 000003
【図３】
0004320939.tif 000004